(57)【要約】【課題】通信装置に対して接続情報を設定する際のユーザの利便性を向上させること。【解決手段】第１のネットワークと、前記第１のネットワークとは異なる第２のネットワークと、を含む通信システムであって、通信システムは、通信装置を識別する識別情報と、前記通信装置と電子機器とが前記第１のネットワークまたは前記第２のネットワークを介して通信するための接続情報とを対応付けて記憶する記憶部と、前記通信装置の識別情報を取得する取得部と、前記取得部が取得した前記識別情報に対応する前記接続情報を、前記通信装置に設定する設定部と、を備える。【選択図】図２
2019050527.tif 000002
【特許請求の範囲】
【請求項１】
第１のネットワークと、前記第１のネットワークとは異なる第２のネットワークと、を含む通信システムであって、
通信装置を識別する識別情報と、前記通信装置と電子機器とが前記第１のネットワークまたは前記第２のネットワークを介して通信するための接続情報とを対応付けて記憶する記憶部と、
前記通信装置の識別情報を取得する取得部と、
前記取得部が取得した前記識別情報に対応する前記接続情報を、前記通信装置に設定する設定部と、
を備える通信システム。
【請求項２】
前記設定部は、
前記通信装置の接続ログ情報と、前記取得部が取得した前記識別情報と、に基づいて、前記通信装置に前記接続情報を設定する、
請求項１に記載の通信システム。
【請求項３】
前記設定部は、
前記接続ログ情報と、前記取得部が取得した前記識別情報と、に基づいて、新設した前記通信装置か否かを判定し、新設した前記通信装置であると判定した場合に、前記通信装置に前記接続情報を設定する、
請求項２に記載の通信システム。
【請求項４】
前記取得部は、前記接続ログ情報に含まれる前記識別情報を取得し、
前記設定部は、前記取得部が取得した前記識別情報が、過去の接続ログ情報に含まれていない場合に、前記取得部が取得した前記識別情報に対応する前記通信装置が新設した前記通信装置であると判定する、
請求項２または請求項３のいずれか一項に記載の通信システム。
【請求項５】
前記識別情報は、前記通信装置を識別するＭｅｄｉａ  Ａｃｃｅｓｓ  Ｃｏｎｔｒｏｌアドレスである、
請求項１から請求項４のいずれか一項に記載の通信システム。
【請求項６】
前記接続ログ情報を取得するログ情報取得部、をさらに備える
請求項２から請求項４のいずれか一項に記載の通信システム。
【請求項７】
第１のネットワークと、前記第１のネットワークとは異なる第２のネットワークと、を含む通信システムであって、通信装置を識別する識別情報と、前記通信装置と電子機器とが前記第１のネットワークまたは前記第２のネットワークを介して通信するための接続情報とを記憶する記憶部を備える通信システムのコンピュータが、
前記通信装置の識別情報を取得する取得過程と、
前記取得過程により取得された前記識別情報に対応する前記接続情報を、前記通信装置に設定する設定過程と、
を有する設定方法。
【請求項８】
第１のネットワークと、前記第１のネットワークとは異なる第２のネットワークと、を含む通信システムであって、通信装置を識別する識別情報と、前記通信装置と電子機器とが前記第１のネットワークまたは前記第２のネットワークを介して通信するための接続情報とを記憶する記憶部を備える通信システムのコンピュータが、
前記通信装置の識別情報を取得する取得ステップと、
前記取得ステップにより取得された前記識別情報に対応する前記接続情報を、前記通信装置に設定する設定ステップと、
を実行するためのプログラム。
【発明の詳細な説明】
【技術分野】
【０００１】
本発明は、通信システム、設定方法、およびプログラムに関する。
【背景技術】
【０００２】
アクセスポイントなどの通信装置と電子機器とを接続して無線通信するものがある。このような無線通信として、例えば、インターネット接続装置に接続されたアクセスポイントにおいて、ＳＳＩＤ（Ｓｅｒｖｉｃｅ  Ｓｅｔ  Ｉｄｅｎｔｉｆｉｅｒ）およびセキュリティキーを設定し、電子機器が、通信装置に設定されたＳＳＩＤおよびセキュリティキーを用いて、通信装置に接続するものがある（例えば、非特許文献１参照）。
【先行技術文献】
【非特許文献】
【０００３】
【非特許文献１】“一度の設定で後はラクラク  画像付きで詳しく解説！無線ＬＡＮ設定”［ｏｎｌｉｎｅ］、西日本電信電話株式会社、［平成２９年８月１６日検索］、インターネット＜ＵＲＬ：ｈｔｔｐ：／／ｆｌｅｔｓ−ｗ．ｃｏｍ／ｐｏｉｎｔ−ｏｔｏｋｕ／ｍｏｔｔｏ／ｗｉｒｅｌｅｓｓｌａｎ／ｉｎｄｏｏｒ／ｓｅｔｕｐ／＞
【発明の概要】
【発明が解決しようとする課題】
【０００４】
しかしながら、非特許文献１の技術を用いても、複数のネットワークが存在する場所で複数の通信装置を組み合わせて使用する場合などにおいて、それぞれの通信装置に対してＳＳＩＤおよびセキュリティキーを設定しなければならない、という問題があった。また、複数の通信装置にＳＳＩＤおよびセキュリティキーの設定などの保守作業を複数の保守者で行う場合、ＳＳＩＤおよびセキュリティキーの秘匿性に支障をきたす恐れがあった。このように、通信装置に対して接続情報を設定する際のユーザの利便性が十分でないという課題があった。
【０００５】
本発明は上記の点に鑑みてなされたものであり、通信装置に対して接続情報を設定する際のユーザの利便性を向上させることができる通信システム、設定方法、およびプログラムを提供することを課題とする。
【課題を解決するための手段】
【０００６】
（１）本発明は上記の課題を解決するためになされたものであり、本発明の一態様は、第１のネットワークと、前記第１のネットワークとは異なる第２のネットワークと、を含む通信システムであって、通信装置を識別する識別情報と、前記通信装置と電子機器とが前記第１のネットワークまたは前記第２のネットワークを介して通信するための接続情報とを対応付けて記憶する記憶部と、前記通信装置の識別情報を取得する取得部と、前記取得部が取得した前記識別情報に対応する前記接続情報を、前記通信装置に設定する設定部と、を備える通信システムである。
【０００７】
（２）また、本発明の一態様は、上記の通信システムにおいて、前記設定部は、前記通信装置の接続ログ情報と、前記取得部が取得した前記識別情報と、に基づいて、前記通信装置に前記接続情報を設定する。
【０００８】
（３）また、本発明の一態様は、上記の通信システムにおいて、前記設定部は、前記接続ログ情報と、前記取得部が取得した前記識別情報と、に基づいて、新設した前記通信装置か否かを判定し、新設した前記通信装置であると判定した場合に、前記通信装置に前記接続情報を設定する。
【０００９】
（４）また、本発明の一態様は、上記の通信システムにおいて、前記取得部は、前記接続ログ情報に含まれる前記識別情報を取得し、前記設定部は、前記取得部が取得した前記識別情報が、過去の接続ログ情報に含まれていない場合に、前記取得部が取得した前記識別情報に対応する前記通信装置が新設した前記通信装置であると判定する。
【００１０】
（５）また、本発明の一態様は、上記の通信システムにおいて、前記識別情報は、前記通信装置を識別するＭｅｄｉａ  Ａｃｃｅｓｓ  Ｃｏｎｔｒｏｌアドレスである。
【００１１】
（６）また、本発明の一態様は、上記の通信システムにおいて、前記接続ログ情報を取得するログ情報取得部、をさらに備える。
【００１２】
（７）本発明は上記の課題を解決するためになされたものであり、本発明の一態様は、第１のネットワークと、前記第１のネットワークとは異なる第２のネットワークと、を含む通信システムであって、通信装置を識別する識別情報と、前記通信装置と電子機器とが前記第１のネットワークまたは前記第２のネットワークを介して通信するための接続情報とを記憶する記憶部を備える通信システムのコンピュータが、前記通信装置の識別情報を取得する取得過程と、前記取得過程により取得された前記識別情報に対応する前記接続情報を、前記通信装置に設定する設定過程と、を有する設定方法である。
【００１３】
（８）本発明は上記の課題を解決するためになされたものであり、本発明の一態様は、第１のネットワークと、前記第１のネットワークとは異なる第２のネットワークと、を含む通信システムであって、通信装置を識別する識別情報と、前記通信装置と電子機器とが前記第１のネットワークまたは前記第２のネットワークを介して通信するための接続情報とを記憶する記憶部を備える通信システムのコンピュータが、前記通信装置の識別情報を取得する取得ステップと、前記取得ステップにより取得された前記識別情報に対応する前記接続情報を、前記通信装置に設定する設定ステップと、を実行するためのプログラムである。
【発明の効果】
【００１４】
本発明によれば、通信装置に対して接続情報を設定する際のユーザの利便性を向上させることができる。
【図面の簡単な説明】
【００１５】
【図１】本発明の第１の実施形態に係る通信システムの一例を示す概略図である。
【図２】本発明の第１の実施形態に係るサーバ装置の構成の一例を示す概略ブロック図である。
【図３】本発明の第１の実施形態に係る設定処理の一例を示すシーケンス図である。
【図４】本発明の第１の実施形態に係るサーバ装置における設定処理の一例を示すフローチャートである。
【発明を実施するための形態】
【００１６】
（第１の実施形態）
以下、図面を参照しながら本発明の第１の実施形態について詳しく説明する。
図１は、本発明の第１の実施形態に係る通信システムの一例を示す概略図である。
通信システムｓｙｓは、管理装置１−１と、管理装置１−２と、通信装置ＡＰ１と、通信装置ＡＰ２と、電子機器ＲＤ１１、ＲＤ１２、・・・、ＲＤａと、電子機器ＲＤ２１、ＲＤ２２、・・・、ＲＤｂと、サーバ装置２と、を含んで構成され、相互にネットワークに接続される。
【００１７】
ここで、管理装置１−１と、管理装置１−２とを特に区別しないときは、管理装置１と称することがある。また、通信装置ＡＰ１と、通信装置ＡＰ２とを特に区別しないときは、通信装置ＡＰと称することがある。また、電子機器ＲＤ１１、ＲＤ１２、・・・、ＲＤａを特に区別しないときは、電子機器ＲＤａと称することがある。また、電子機器ＲＤ２１、ＲＤ２２、・・・、ＲＤｂを特に区別しないときは、電子機器ＲＤｂと称することがある。また、電子機器ＲＤａ、ＲＤｂを時に区別しないときには、電子機器ＲＤと称することがある。
【００１８】
ネットワークは、インターネットＮＷと、イントラネットと、を含んで構成される。イントラネットは、店舗毎に敷設され、且つ、１つの店舗内の同一フロアまたは異なるフロアにおいて１つのイントラネット、または互いに異なる複数のイントラネットを含んで構成される。例えば、店舗ＳＰ１は、イントラネットＮＷ１０と、イントラネットＮＷ１０とは異なるイントラネットＮＷ２０と、を含んで構成される。イントラネットＮＷ１０と、イントラネットＮＷ２０とは、それぞれゲーム運営会社毎に構成される。
【００１９】
イントラネットＮＷ１０には、管理装置１−１と、通信装置ＡＰ１と、電子機器ＲＤａと、が含まれる。通信装置ＡＰ１は、該管理装置１−１に有線接続され、通信装置ＡＰ１と、電子機器ＲＤａと無線接続される。
イントラネットＮＷ２０には、管理装置１−２と、通信装置ＡＰ２と、電子機器ＲＤｂと、が含まれる。通信装置ＡＰ２は、該管理装置１−２に有線接続され、通信装置ＡＰ２と、電子機器ＲＤｂと無線接続される。
【００２０】
管理装置１は、イントラネットを管理する管理装置である。管理装置は、例えば通信ルータの機能を含む。管理装置１は、例えば、ゲーム機を供給するメーカ毎に設けられる。また、管理装置１は、通信装置ＡＰや電子機器ＲＤのログ情報を収集し、所定周期でサーバ装置２に送信するログ情報には、通信装置ＡＰや電子機器ＲＤ等の機器の種別を表す機器種別と、日時を表す日時情報と、ＩＰ（Ｉｎｔｅｒｎｅｔ  Ｐｒｏｔｏｃｏｌ）アドレスの割り当て等の各イベントのイベント情報と、通信装置ＡＰや電子機器ＲＤを識別する識別情報、例えばＭＡＣ（Ｍｅｄｉａ  Ａｃｃｅｓｓ  Ｃｏｎｔｒｏｌ）アドレスなどが含まる。管理装置１は、通信装置ＡＰのＩＰアドレス情報をサーバ装置２に送信する。
【００２１】
なお、ログ情報の送信は、所定周期毎であってもよいし、通信装置ＡＰが管理装置１に接続されたとき等、何らかのイベントが発生したことをトリガとして、ログ情報をサーバ装置２に送信してもよい。
【００２２】
通信装置ＡＰは、例えば無線アクセスポイントである。通信装置ＡＰは、接続情報に基づいて接続された各電子機器ＲＤと無線通信する。接続情報は、例えばＳＳＩＤ（Ｓｅｒｖｉｃｅ  Ｓｅｔ  Ｉｄｅｎｔｉｆｉｅｒ）およびセキュリティキーである。
【００２３】
電子機器ＲＤは、例えば、ＩＣカードリーダ等の決済端末、パーソナルコンピュータ（ＰＣ）、タブレットＰＣ、スマートフォン等の電子機器である。以下の説明では、一例として、電子機器ＲＤが、管理対象装置（例えば、ゲーム機）の利用に係るゲーム代の決済を行う機能を有するものとして説明する。
ここで、通信装置ＡＰと、電子機器ＲＤとの無線接続は、電子機器ＲＤにおいて設定カードを読み取ることで接続される。設定カードは、例えばＱＲコード（登録商標）、ＩＣカード、フラッシュメモリやＳＤカード等のメモリカードなどである。設定カードには、通信装置ＡＰ１または通信装置ＡＰ２と接続するための接続情報が含まれる。設定カードは、各通信装置ＡＰが接続する管理装置１ごとに設けられる。
【００２４】
サーバ装置２は、各管理装置１から送信されるログ情報を蓄積したり、各管理装置１と各通信装置ＡＰとを接続するための接続情報を管理・設定したりする。また、サーバ装置２は、各管理装置１から送信されるログ情報を蓄積し、所定周期（例えば、１時間ごと、１日ごと、１週間ごとなど）でログ情報を、ゲーム機を供給するメーカの各蓄積装置（非図示）に配信する。
【００２５】
店舗ＳＰ１は、管理装置１、通信装置ＡＰが設置された店舗（施設）である。店舗ＳＰ１は、例えばゲームセンタ、小売店等である。例えば、複数店舗が収容された複合商業施設やテーマパークなどの施設であってもよい。なお、ここで言う「施設」とは、法人毎に統括される施設であってもよいし、各地域の支店毎に統括される施設、または建物毎に統括される施設であってもよい。また、施設が統括される単位や、施設の規模等は、適宜調整可能である。
【００２６】
図２は、本発明の第１の実施形態に係るサーバ装置２の構成の一例を示す概略ブロック図である。
サーバ装置２は、通信部２１と、記憶部２３と、制御部２５と、を含んで構成される。記憶部２３は、設定情報記憶部２３１と、ログイン情報記憶部２３３と、ログ情報記憶部２３５と、を含んで構成される。制御部２５は、ログ取得部２５１と、ログ解析部２５３と、設定部２５５と、を含んで構成される。
通信部２１は、ネットワークを介して、管理装置１、各蓄積装置、通信装置ＡＰと各種データを通信する。具体的には、通信部２１は、制御部２５から入力される各種データを、管理装置１や各種蓄積装置に送信（配信）したり、通信装置ＡＰに送信したりする。また、通信部２１は、ネットワークを介して、管理装置１、各蓄積装置から各種データを受信し、受信した各種データを制御部２５に出力する。
【００２７】
設定情報記憶部２３１は、各管理装置１を識別する識別情報、例えばＭＡＣアドレスと、該管理装置１に接続する通信装置ＡＰに設定するＳＳＩＤおよびセキュリティキーと、を対応付けて接続情報として記憶する。また、設定情報記憶部２３１は、管理装置１毎に既設の通信装置ＡＰのＭＡＣアドレスを記憶する。
ログイン情報記憶部２３３は、管理装置１ごとに、各通信装置ＡＰへのログイン情報、例えば、ログインＩＤ、ログインパスワードを記憶する。
ログ情報記憶部２３５は、通信部２１、制御部２５を介して、管理装置１から送信されるログ情報を所定期間、例えば、１日、１週間、１ヶ月、１年間など記憶する。
【００２８】
制御部２５は、管理装置１の機能を制御する。
ログ取得部２５１は、ログ情報記憶部２３５からログ情報を取得し、ログ解析部２５３に出力する。また、ログ取得部２５１は、通信部２１を介して管理装置１から通信装置ＡＰのＩＰアドレス情報が入力されると、該ＩＰアドレス情報をログ解析部２５３に出力する。
【００２９】
ログ解析部２５３は、管理装置１毎に、ログ情報に新設の通信装置ＡＰが存在するか否かを解析する。具体的には、ログ解析部２５３は、ログ取得部２５１から入力されたログ情報に、設定情報記憶部２３１が記憶する通信装置ＡＰのＭＡＣアドレス以外の通信装置ＡＰのＭＡＣアドレスが含まれているか否かを判定し、設定情報記憶部２３１が記憶する通信装置ＡＰのＭＡＣアドレス以外の通信装置ＡＰのＭＡＣアドレスが含まれている場合は、新設された通信装置ＡＰが存在すると判定する。
ここで、新設の通信装置ＡＰとは、例えば、イントラネットＮＷ１０に初めてで接続された通信装置ＡＰや、イントラネットＮＷ２０からイントラネットＮＷ１０に接続先を変更した通信装置ＡＰや、過去にイントラネットＮＷ１０、イントラネットＮＷ２０に接続し、再度イントラネットＮＷ１０に接続先を変更した通信装置ＡＰなどである。
【００３０】
ログ解析部２５３は、新設された通信装置ＡＰのＭＡＣアドレスをログ情報から抽出し、該通信装置ＡＰを管理する管理装置１に対して、該通信装置ＡＰに対して動的に割り当てたＩＰアドレスを要求する。また、ログ解析部２５３は、新設された通信装置ＡＰのＭＡＣアドレスに対応するログイン情報を、ログイン情報記憶部２３３から抽出する。ログ解析部２５３は、ログ取得部２５１から新設された通信装置ＡＰのＩＰアドレスが入力されると、ログイン情報と、ＩＰアドレスと、管理装置１のＭＡＣアドレスおよび通信装置ＡＰのＭＡＣアドレスとを、設定部２５５に出力する。
【００３１】
なお、ログ解析部２５３は、ＩＰアドレスを要求する代わりに、ログ情報からＩＰアドレスを抽出してもよい。この場合、ＩＰアドレスがログ情報に含まれていればよい。
このような構成により、ＩＰアドレスの要求を省略することができる。
【００３２】
設定部２５５は、ログ解析部２５３からログイン情報と、ＩＰアドレスと、管理装置１のＭＡＣアドレスとが入力されると、設定情報記憶部２３１から該管理装置１に対応する通信装置ＡＰの接続情報を抽出する。設定部２５５は、ＩＰアドレスとログイン情報に基づいて、通信装置ＡＰに接続してログインし、抽出した接続情報を通信装置ＡＰに設定する。設定部２５５は、通信装置ＡＰに対して接続情報の設定が完了すると、通信装置ＡＰのＭＡＣアドレスを、既設の通信装置ＡＰのＭＡＣアドレスとして、設定情報記憶部２３１に記憶させる。
【００３３】
図３は、本発明の第１の実施形態に係る設定処理の一例を示すシーケンス図である。
ステップＳＴ１０１において、管理装置１は、電子機器ＲＤから送信されるログ情報に、送信元の機器種別を対応づけてログ情報を生成する。
ステップＳＴ１０３において、管理装置１は、生成したログ情報を所定周期でサーバ装置２に送信する。
ステップＳＴ１０５において、サーバ装置２は、ログ情報記憶部２３５に蓄積されたログ情報と、設定情報記憶部２３１に記憶された既設の通信装置ＡＰのＭＡＣアドレスとに基づいて、新設された通信装置ＡＰがあるか否かを判定することで新設の通信装置ＡＰを特定する。
【００３４】
ステップＳＴ１０７において、サーバ装置２は、新設された通信装置ＡＰのＭＡＣアドレスに対応するＩＰアドレス要求を管理装置１に送信する。
ステップＳＴ１０９において、管理装置１は、自装置のＩＰアドレスの割り当て情報と、新設された通信装置ＡＰのＭＡＣアドレスとに基づいて、該通信装置ＡＰのＩＰアドレスを抽出する。
【００３５】
ステップＳＴ１１１において、管理装置１は、通信装置ＡＰのＩＰアドレスをサーバ装置２に送信する。
ステップＳＴ１１３において、サーバ装置２は、新設された通信装置ＡＰのＭＡＣアドレスと、管理装置１のＭＡＣアドレスとに基づいて、新設された通信装置ＡＰの接続情報を、設定情報記憶部２３１から取得する。また、サーバ装置２は、新設された通信装置ＡＰのＭＡＣアドレスと、管理装置１のＭＡＣアドレスとに基づいて、新設された通信装置ＡＰのログイン情報を、ログイン情報記憶部２３３から取得する。
【００３６】
ステップＳＴ１１５において、サーバ装置２は、新設された通信装置ＡＰのＩＰアドレスと、該通信装置ＡＰのログイン情報と、に基づいて、該通信装置ＡＰにログインする。
ステップＳＴ１１７において、管理装置１は、ログインした通信装置ＡＰに対して接続情報を設定する。また、管理装置１は、通信装置ＡＰに対する接続情報の設定が完了すると、該通信装置ＡＰのＭＡＣアドレスを、既設の通信装置ＡＰのＭＡＣアドレスとして設定情報記憶部２３１に記憶させる。
【００３７】
図４は、本発明の第１の実施形態に係る設定処理の一例を示すフローチャートである。
ステップＳＴ２０１において、ログ取得部２５１は、ログ情報記憶部２３５から管理装置１ごとのログ情報を取得する。
ステップＳＴ２０３において、ログ解析部２５３は、ログ取得部２５１が取得したログ情報を解析する。具体的には、ログ解析部２５３は、設定情報記憶部２３１が記憶する既設の通信装置ＡＰのＭＡＣアドレス以外の通信装置ＡＰのＭＡＣアドレスが、ログ情報に含まれるか否かを判定する。
【００３８】
ステップＳＴ２０５において、既設の通信装置ＡＰのＭＡＣアドレス以外のＭＡＣアドレスがログ情報に存在する場合、すなわち、登録済みのＭＡＣアドレスのみでない場合（ステップＳＴ２０５；ＮＯ）、ログ解析部２５３は、ステップＳＴ２０７の処理を実行する。一方、既設の通信装置ＡＰのＭＡＣアドレス以外のＭＡＣアドレスがログ情報に存在しない場合、すなわち、登録済みのＭＡＣアドレスのみである場合（ステップＳＴ２０５；ＹＥＳ）、ログ解析部２５３は、設定処理を終了する。
【００３９】
ステップＳＴ２０７において、未登録のＭＡＣアドレスの機器種別が、ログ情報において通信装置である場合（ステップＳＴ２０７；ＹＥＳ）、ログ解析部２５３は、ステップＳＴ２０９の処理を実行する。一方、未登録のＭＡＣアドレスの機器種別が、ログ情報において通信装置でない場合（ステップＳＴ２０７：ＮＯ）、ログ解析部２５３は、設定処理を終了する。
【００４０】
ステップＳＴ２０９において、ログ解析部２５３は、未登録の通信装置ＡＰのＭＡＣアドレスおよび該通信装置ＡＰを管理する管理装置１のＭＡＣアドレスに基づいて、未登録の通信装置ＡＰに対応する接続情報を、設定情報記憶部２３１から取得する。
ステップＳＴ２１１において、ログ解析部２５３は、未登録の通信装置ＡＰのＭＡＣアドレスに対応するログイン情報を、ログイン情報記憶部２３３から取得する。また、未登録の通信装置ＡＰのＩＰアドレスを、管理装置１に要求して取得する。
【００４１】
ステップＳＴ２１３において、設定部２５５は、未登録の通信装置ＡＰのＩＰアドレス、該通信装置のログイン情報に基づいて、未登録の通信装置ＡＰにログインする。
ステップＳＴ２１５において、設定部２５５は、ログイン中の未登録の通信装置ＡＰに対して、該通信装置ＡＰを管理する管理装置に対応する接続情報を設定する。
ステップＳＴ２１７において、設定部２５５は、接続情報を設定した通信装置ＡＰのＭＡＣアドレスを、既設の通信装置ＡＰのＭＡＣアドレスとして設定情報記憶部２３１に記憶させる。
【００４２】
このように、本実施形態に係る通信システムｓｙｓは、第１のネットワーク（イントラネットＮＷ１０）と、第１のネットワークとは異なる第２のネットワーク（イントラネットＮＷ２０）と、を含む通信システムであって、通信装置ＡＰを識別する識別情報（ＭＡＣアドレス）と、通信装置ＡＰと電子機器ＲＤとが通信するための接続情報とを対応付けて記憶する記憶部（設定情報記憶部２３１）と、通信装置ＡＰの識別情報（ＭＡＣアドレス）を取得する取得部（ログ解析部２５３）と、取得部（ログ解析部２５３）が取得した識別情報に対応する接続情報を、通信装置に設定する設定部２５５と、を備える。
【００４３】
これにより、通信装置の接続情報をサーバ装置によって、設定することができるため、接続情報の設定に対する保守者の負荷を軽減することができる。また、接続情報をサーバ装置で管理するため、例えば、接続情報を保守者に知らせる必要がなく、接続情報の秘匿性を向上させることができる。また、通信装置や電子機器の同一店舗内における設置位置の移動や他の店舗への移設、異なるイントラネット間での移設、機器の入れ替えなどがあっても、保守者が自ら行うことなく、ネットワークを再構築することができる。また、異なるゲーム機供給メーカで同じ機能を有する機器を用いる場合、例えば、機器設置のさいの接続先を間違えても、サーバ装置によって接続情報が設定されるため、通信障害の発生を抑制できる。また、受動的な通信装置に対して、能動的なサーバ装置が接続情報を設定するため、汎用の通信装置を用いることができる。すなわち、通信装置に対して接続情報を設定する際のユーザの利便性を向上させることができる。
【００４４】
なお、上記実施形態において、サーバ装置２が通信装置ＡＰに対して接続情報を設定する場合の一例について説明したが、サーバ装置２の代わりに、管理装置１が通信装置ＡＰに対して接続情報を設定してもよい。この場合、記憶部２３、制御部２５を管理装置１が備えればよい。
【００４５】
なお、上記実施形態において、サーバ装置２が所定期間のログ情報を保持する場合の一例について説明したが、サーバ装置２がログ情報を保持せずに各蓄積装置にログ情報を記憶させてもよい。この場合、サーバ装置２は、各蓄積装置からログ情報を取得すればよい。
【００４６】
なお、上記実施形態において、サーバ装置２が管理装置１毎に新設された通信装置ＡＰであるか否かを判定する場合の一例について説明したが、ある管理装置で新設された通信装置が、過去に他の管理装置に管理されていたか否かに応じて接続情報の設定可否を判定してもよいし、過去に他の管理装置で何回管理されたかに応じて、接続情報の設定可否を判定してもよい。この場合、ログ解析部２５３が新設された通信装置ＡＰであると判定したときに、他の管理装置１の既設のＭＡＣアドレスに、該新設された通信装置ＡＰのＭＡＣアドレスが含まれるか否かや、何回該新設された通信装置ＡＰのＭＡＣアドレスが登録されているかを判定すればよい。このようにすることで、通信装置ＡＰの接続を制限することができる。
【００４７】
なお、新設された通信装置ＡＰであると判定されたときに、過去に他の管理装置に管理された通信装置であるか否かを判定し、該判定結果に応じて、該他の管理装置の既設の通信装置のＭＡＣアドレスから、該通信装置のＭＡＣアドレスを削除してもよいし、不活性化してもよい。
【００４８】
なお、上記実施形態において、サーバ装置２が管理装置１毎に新設された通信装置ＡＰであるか否かを判定する場合の一例について説明したが、ある管理装置で新設された通信装置が、過去に他の管理装置に管理されていた場合、接続情報を上書きしてもよい。
これにより、複数のネットワークと通信可能な場所に設置された通信装置ＡＰであっても、所望のネットワークに接続させることができる。
【００４９】
なお、上述した実施形態における管理装置１、サーバ装置２の一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、管理装置１、サーバ装置２に内蔵されたコンピュータシステムであって、ＯＳや周辺機器等のハードウェアを含むものとする。
【００５０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。
【００５１】
また上記プログラムは、前述した機能の一部を実現するためのものであっても良く、さらに前述した機能をコンピュータシステムにすでに記録されているプログラムとの組み合わせで実現できるものであっても良い。
【００５２】
また、上述した実施形態における管理装置１、サーバ装置２の一部、または全部を、ＬＳＩ（Ｌａｒｇｅ  Ｓｃａｌｅ  Ｉｎｔｅｇｒａｔｉｏｎ）等の集積回路として実現しても良い。管理装置１、サーバ装置２の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００５３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００５４】
ｓｙｓ  通信システム
ＮＷ  インターネット
ＮＷ１０、ＮＷ２０  イントラネット
ＳＰ１  店舗
１、１−１、１−２  管理装置
ＡＰ、ＡＰ１、ＡＰ２  通信装置
ＲＤ、ＲＤ１１、ＲＤ１２、ＲＤａ、ＲＤ２１、ＲＤ２２、ＲＤｂ  電子機器
２  サーバ装置
２１  通信部
２３  記憶部
２３１  設定情報記憶部
２３３  ログイン情報記憶部
２３５  ログ情報記憶部
２５  制御部
２５１  ログ取得部
２５３  ログ解析部
２５５  設定部
【図１】
2019050527.tif 000003
【図２】
2019050527.tif 000004
【図３】
2019050527.tif 000005
【図４】
2019050527.tif 000006